(57)【特許請求の範囲】
【請求項１】
バルコニーまたは屋上の床面が防水処理され、この防水処理された床面上の一部に、植物が植えられたプランタが載置され、このプランタが載置された載置部と、その他の前記床面との境界部に、前記プランタより高い仕切部が設けられており、
前記仕切部の上部には、この仕切部と前記プランタとの間の隙間を隠す突出部が形成されていることを特徴とするバルコニー等の緑化構造。
【請求項２】
請求項１記載のバルコニー等の緑化構造において、
前記仕切部が複数の仕切部ピースを連接することによって構成されていることを特徴とするバルコニー等の緑化構造。
【請求項３】
請求項１〜３のいずれかに記載のバルコニー等の緑化構造において、
前記プランタが載置された載置部は、前記床面の縁部側に配置されていることを特徴とするバルコニー等の緑化構造。
【請求項４】
請求項１〜３のいずれかに記載のバルコニー等の緑化構造において、
前記プタンタが載置された載置部は、前記床面の縁部側のうち、外側に位置する縁部側に配置されていることを特徴とするバルコニー等の緑化構造。
【請求項５】
請求項１〜４のいずれかに記載のバルコニー等の緑化構造において、
前記プランタが載置された載置部以外の床面上には、床材が敷設されていることを特徴とするバルコニー等の緑化構造。
【請求項６】
請求項５記載のバルコニー等の緑化構造において、
前記床材が、複数の床材ユニットピースで構成されていることを特徴とするバルコニー等の緑化構造。
【発明の詳細な説明】
【０００１】
【発明の属する技術分野】
本発明は、建物の屋上、バルコニー等を容易に緑化することができるバルコニー等の緑化構造に関するものである。
【０００２】
【背景の技術】
建物の屋上、バルコニー等を緑化する場合、例えば、レンガ、ブロック、コンクリート等で枠組みをして、この枠組内に庭土を投入して均し、ここに植栽を施したり、あるいは、前記屋上やバルコニーに、単に、植物が植えられたプランタ等を適当に配置したりしている場合が多い。
【０００３】
【発明が解決しようとする課題】
ところが、前者の場合、庭土はそれが多量になると、庭土をバルコニー等にクレーン等を利用して搬入しなければならないので、かなり大掛かりなものとなり、また、庭土を入れた場合、そこに植栽を施したり、また、それを植替るのに手間がかかっていた。
一方、後者の場合、植物が植えられたプランタ等を適当に配置しているだけであり、しかもプランタ自体が見えるので、雑然としたイメージとなり易く、花壇のような景観の美しいものとするのは困難であった。
【０００４】
本発明は上記事情に鑑みてなされたもので、建物の屋上、バルコニー等を容易に緑化するとともに、景観の美しいものとすることができるバルコニー等の緑化構造を提供することを目的としている。
【０００５】
【課題を解決するための手段】
上記目的を達成するために、本発明の請求項１のバルコニー等の緑化構造は、例えば図１に示すように、バルコニーまたは屋上の床面１を防水処理し、この防水処理した床面上の一部に、植物２が植えられたプランタ３を載置し、このプランタ３が載置された載置部４と、その他の床面１ａとの境界部に、前記プランタ３より高い仕切部５を設け、
前記仕切部５の上部に、この仕切部５と前記プランタ３との間の隙間を隠す突出部５ａを形成したものである。
【０００６】
前記バルコニーまたは床面１を防水処理するには、例えば、該床面１上に防水シート６を敷設することにより行う。
この防水シート６は、床面上に露出しておいてもよいが、該防水シート６上に、これを保護するための床材１０を敷設してもよい。
前記プランタ３は、その中に用土を入れて植物を植え込むためのもので、上部が開口した容器状に形成されたものである。
【０００７】
前記仕切部５は、前記プランタ３より高く、かつ、該プランタに植えられた植物２を隠さない程度の高さに形成されたもので、前記境界部に沿って延在するようにして設けられる。
また、前記仕切部５は、樹脂、金属、コンクリート、レンガ、セラミックス、陶磁器、木等、どのような材料で形成してもよいが、樹脂で形成した場合、押し出し成形法によって、長尺な仕切部を容易に形成することができる。
【０００８】
請求項１のバルコニー等の緑化構造にあっては、バルコニーあるいは屋上の床面１の一部に設けられた載置部４に、植物２が植えられたプランタ３を載置することによって、該プランタ３自体は前記仕切部５によって隠され、一方、プランタ３に植えられた植物２は仕切部５から上方に突出しおり、しかも、該植物２は仕切部５によって、載置部４以外の床面１ａから分離しているので、あたかも花壇に植えられた植物のように美しい景観となる。
【０００９】
また、前記載置部４に、植物２が植えられたプランタ３を載置するだけで、バルコニーや屋上に容易に植栽が施され、また、プランタ３を取り替えるだけで、容易に植替が可能となる。
【００１０】
請求項２のバルコニー等の緑化構造は、例えば、図２および図５に示すように、請求項１において、前記仕切部５を複数の仕切部ピース１１ａ，１１ｂ，１１ｃ，１１ｄ，１１ｅを連接することによって構成したものである。
前記仕切部ピースは、横断面が同形状になるように形成してもよいし、異なる形状になるように形成しもよい。
横断面が同形状になるように形成してた場合、それらを連接することによって、一定幅、一定高さの仕切部５を容易に形成することができ、また、横断面が異なる形状になるようにして形成した場合、それらを適宜連接することによって、所定の位置で、所望の幅、高さを有する仕切部を容易に形成することができる。
【００１１】
また、前記仕切部ピースの端面は、図６および図７に示すように、側面に対して直角に形成したり、または、側面に対して所定の角度（例えば４５°）で形成する。
仕切部ピース１１ａ，１１ｂ，１１ｃの端面を側面に対して直角に形成した場合、仕切部ピースどうしを、その端面どうしを接合することによって、直線状に連接することができる。また、仕切部ピース１１ｂ，１１ｃ，１１ｄ，１１ｅの端面を側面に対して所定の角度で形成した場合、仕切部ピースどうしを、その端面どうしを接合することによって、所定の角度で連接することができる。
【００１２】
請求項２のバルコニー等の緑化構造にあっては、仕切部５を複数の仕切部ピース１１ａ，１１ｂ，１１ｃ，１１ｄ，１１ｅを連接することによって、所望の長さ、幅、高さを有する仕切部５が容易に形成され、これによって、バルコニーあるいは屋上の床面の平面的な大きさや形状に対応した、仕切部を容易に形成することが可能となる。
【００１３】
請求項３のバルコニー等の緑化構造は、例えば図２および図４に示すように、請求項１〜３のいずれかにおいて、前記プランタ３が載置された載置部４を、前記床面１の縁部側１ｂ，１ｃに配置したものである。
前記載置部４を床面１の縁部側に配置する場合、該床面の縁部全てに配置してもよいし、縁部の一部に配置してもよい。
また、前記床面１の縁部には、建物側に位置する部位に、建物の外壁が位置しており、また、外側に位置する部位に、手摺り８や手摺り壁等が位置している。
【００１４】
請求項３のバルコニー等の緑化構造にあっては、前記載置部４が床面１の縁部側に配置されているので、床面１の内側が活動や休息の場所として有効利用される。また、床面１の縁部に位置する建物の外壁や手摺り壁または手摺りの一部が、載置部４に載置されたプランタ３の植物２によって隠されるので、バルコニー等の緑化を効果的に図れる。
【００１５】
請求項４のバルコニー等の緑化構造は、図２および図４に示すように、請求項１〜３のいずれかにおいて、前記プタンタ３が載置された載置部４を、前記床面１の縁部側のうち、外側に位置する縁部側１ｂ，１ｃに配置したものである。
前記外側に位置する縁部側１ｂ，１ｃとは、前記床面１が建物の外壁から突出しているバルコニーにおいて、手摺り８や、手摺り壁等が形成されている外側の縁部側をいう。
【００１６】
請求項４のバルコニー等の緑化構造にあっては、前記プタンタ３が載置された載置部４が、前記床面１の縁部側のうち、外側に位置する縁部側に配置されているので、床面１の外側の縁部以外の床面が活動や休息の場所として広く利用される。
また、前記載置部４に載置されたプランタ３の植物２に、日光がよく当たるので、植物の育ちがよく、また、植物２を日光の当たった明るい雰囲気で観賞できる。
【００１７】
請求項５のバルコニー等の緑化構造は、図１に示すように、請求項１〜４のいずれかにおいて、前記プランタ３が載置された載置部２以外の床面１ａ上に床材１０を敷設したものである。
前記床材１０は、例えば上面にタイル等が張られて仕上げ加工が施されているテラスボード（商品名）が好適に使用されるが、該テラスボードの他、ＡＬＣ板、合板、鉄板等を使用してもよい。
【００１８】
請求項５のバルコニー等の緑化構造にあっては、前記プランタ３が載置された載置部４以外の床面上、すなわち、人が活動したり休息したりする床面上に床材が敷設されているので、該床面１に施された防水処理層６が床材１０によって覆われて、保護されることになる。したがって、前記防水処理層６が劣化し難く、また、人の出入りや物の搬入、搬出等の際に、傷付くこともない。
【００１９】
請求項６のバルコニー等の緑化構造は、図２に示すように、請求項５において、前記床材１０を、複数の床材ユニットピース１０ａ…で構成したものである。
前記床材ユニットピース１０ａの平面的な形状は、例えば、正方形、長方形等が挙げられるが、この形状に限るものではない。
【００２０】
請求項６のバルコニー等の緑化構造にあっては、前記プランタ３が載置された載置部４以外の床面上に、複数の床材ユニットピース１０ａ…を敷き詰めることによって、床面の平面的な形状、大きさに対応した床材１０を容易に敷設することができる。
【００２１】
【発明の実施の形態】
以下、図面を参照して本発明のバルコニー等の緑化構造の実施の形態の一例について説明する。
本例のバルコニーの緑化構造は、図１に示すように、バルコニーの床面１が防水処理され、この防水処理された床面上の一部に、植物２が植えられたプランタ３…が載置され、このプランタ３が載置された載置部４と、その他の床面１ａとの境界部に、仕切部５が設けられた構成となっている。
【００２２】
前記床面１の防水処理は、該床面１上に防水シート６を敷設することによって行われており、この防水シート６は、前記載置部４を含む床面１全体に敷設されている。
前記プランタ３は、その中に用土を入れて植物３を植え込むためのもので、上部が開口した容器状に形成されている。
【００２３】
前記載置部４は、図２に示すように、前記バルコニーの床面１の縁部側のうち、外側に位置する縁部側１ｂ，１ｃに配置されている。この外側に位置する縁部側１ｂ，１ｃには、図４に示すように、床面１の縁部から立ち上がる壁７が形成されており、この壁７には手摺り８が固定されている。この手摺り８は、ガラスや格子で形成されたもので、該手摺り８を通して植物２に日光が当たるようになっている。
上記のように載置部４を配置すれば、前記床面１の外側の縁部以外の床面１ａを活動や休息の場所として広く利用することができ、また、前記載置部４に載置されたプランタ３の植物２に、日光がよく当たるので、植物の育ちがよく、また、植物２を日光の当たった明るい雰囲気で観賞することができる。
【００２４】
前記仕切部５は、前記プランタ３より高く、かつ、該プランタ３に植えられた植物２を隠さない程度の高さに形成されたもので、前記境界部に沿って延在するようにして設けられている。
また、前記仕切部５は、図１に示すように、内部が中空に形成された樹脂製のもので、その上部には、前記載置部４側に突出する突出部５ａが、仕切部５の長手方向に延在するようにして形成されており、この突出部５ａによって、仕切部５と、前記載置部４に該仕切部５と隣接して配置されたプランタ３との隙間を隠すようになっている。
さらに、前記仕切部５の下面側には段部５ｂが形成されており、この段部５ｂには、前記床面１に敷設された床材１０の縁部が挿入されて、該床材１０の縁部の見切りが行われるとともに、段部５ｂを床材１０に当接させることで、仕切部５が床面１上に、倒れることなく安定的に設けられている。
【００２５】
また、前記仕切部５は、図２および図５に示すように、５種類の仕切部ピース１１ａ，１１ｂ，１１ｃ，１１ｄ，１１ｅを適宜連接することによって構成されている。
前記仕切部ピース１１ａは、図６に示すように、横断面形状を仕切部５の横断面形状に合わせて形成されたもので、その両端面は側面に対して直角に形成されている。
【００２６】
前記仕切部ピース１１ｂは、横断面形状が前記仕切部ピース１１ａと同形状のものであるが、図７に示すように、その一方の端面が側面に対して直角に形成され、他方の端面が側面に対して４５°の角度で形成されたものである。
また、仕切部ピース１１ｃは、一方の端面が側面に対して直角に形成され、他方の端面が側面に対して、前記仕切部ピース１１ｂの場合と逆方向に４５°の角度で形成されたものである。
さらに、前記仕切部ピース１１ｄは、該仕切部ピース１１ｄを平面視した際に平行四辺形となるように、両端面が側面に対して４５°の角度で形成されたものであり、仕切部ピース１１ｅは、両端面が側面に対して、前記仕切部ピース１１ｄの場合と逆方向に４５°の角度で形成されたものである。
【００２７】
そして、両端面または一方の端面を側面に対して直角に形成した前記仕切部ピース１１ａ，１１ｂ，１１ｃは、それらの直角な端面どうしを接合することによって、仕切部ピースどうしを直線状に連接することができ、また、両端面または一方の端面を側面に対して傾斜させた前記仕切部ピース１１ｂ，１１ｃ，１１ｄ，１１ｅは、それらの傾斜し、かつ逆方向に傾く端面どうしを接合することによって、仕切部ピースどうしを直角に連接することができるようになっている。
【００２８】
上記のように、複数の仕切部ピース１１ａ，１１ｂ，１１ｃ，１１ｄ，１１ｅを連接することによって仕切部５を構成すれば、所望の長さ、所望の位置で直角に曲がっている前記仕切部５を容易に形成することができる。したがって、バルコニーの床面の平面的な大きさや形状に対応した、仕切部５を容易に形成することができる。
なお、図３に示すように、バルコニーの床面１の外側の縁部１ｂに沿って一直線状に載置部４を配置する場合、前記仕切部ピース１１ａ…と仕切部ピース１１ｂを使用して、仕切部５を形成すればよい。
【００２９】
前記床材１０は、前記プランタ３が載置された載置部４以外の床面１ａに、前記防水シート６上から敷設されたもので、多数の床材ユニットピース１０ａ…を前記床面１ａ上に敷き詰めることによって構成されている。
前記床材ユニットピース１０ａは、上面にタイル等が張られて仕上げ加工が施されたテラスボード（商品名）と称されるもので、平面視長方形に形成されている。また、前記床材ユニットピース１０ａの底面には、図１に示すように凹溝１０ｂ…が所定間隔で形成されており、床材ユニットピース１０ａ，１０ａどうしの継ぎ目から流入した雨水等の水が、これら凹溝１０ｂ…を流れるようになっている。
【００３０】
このように、前記床面１ａに床材１０を敷設すれば、床面１ａに敷設された防水シート６が床材１０によって覆われて保護されるので、該防水シート６の劣化を防止することができ、また、人の出入りや物の搬入、搬出等の際における防水シートの損傷を防止することができる。
また、前記床材１０は多数の床材ユニットピース１０ａ…で構成されているので、これら床材ユニットピース１０ａを所定枚数敷き詰めることによって、床面１ａの平面的な形状、大きさに対応した床材１０を容易に敷設することができる。
【００３１】
上述したように、本例のバルコニー等の緑化構造によれば、バルコニーの床面の一部に設けられた載置部４に、植物２が植えられたプランタ３を載置することによって、図８に示すように、該プランタ３自体は前記仕切部５によって隠され、一方、プランタ３に植えられた植物２は仕切部５から上方に突出しているので、該植物２を観賞することができ、しかも、該植物２は仕切部５によって、載置部以外の床面１ａから分離しているので、あたかも花壇に植えられた植物２のように観え、美しい景観を造りだすことができる。
また、前記載置部４に、植物２が植えられたプランタ３を載置するだけでバルコニー容易に植栽を施すことができ、また、プランタ３を取り替えるだけで、植栽を容易に植替ることができる。
【００３２】
なお、上記の例では、プランタ３を載置する載置部４は、バルコニーの床１の外側に位置する縁部側１ｂ，１ｃに配置したが、外壁側に位置する縁部側に配置してもよく、さらには、建物の屋上等の広い場所に、載置部４を配置する場合、屋上の床面の縁部側に配置してもよいし、屋上の床面の内側に配置してもよい。
【００３３】
【発明の効果】
以上説明したように、本発明の請求項１のバルコニー等の緑化構造は、バルコニーまたは屋上の床面を防水処理し、この防水処理した床面上の一部に、植物が植えられたプランタを載置し、このプランタが載置された載置部と、その他の前記床面との境界部に、前記プランタより高い仕切部を設けたものであるから、プランタ自体は前記仕切部によって隠され、一方、プランタに植えられた植物は仕切部から上方に突出しているので、観賞することができ、しかも、該植物は仕切部によって、載置部以外の床面から分離しているので、あたかも花壇に植えられた植物のように観え、美しい景観を造りだすことができる。
また、前記載置部に、植物が植えられたプランタを載置するだけで、容易に植栽を施すことができ、また、プランタを取り替えるだけで、植栽を容易に植替ることができる。
【００３４】
請求項２のバルコニー等の緑化構造は、請求項１において、前記仕切部を複数の仕切部ピースを連接することによって構成したものであるから、所望の長さ、幅、高さを有する仕切部を容易に形成することができ、よって、バルコニーあるいは屋上の床面の平面的な大きさや形状に対応した仕切部を容易に形成することができる。
【００３５】
請求項３のバルコニー等の緑化構造は、請求項１〜３のいずれかにおいて、前記プランタが載置された載置部を、前記床面の縁部側に配置したものであるから、床面の内側を活動や休息の場所として有効に利用することができる。
また、床面の縁部に位置する建物の外壁や手摺り壁または手摺りの一部が、載置部に載置されたプランタの植物によって隠されるので、バルコニー等の緑化を効果的に図ることができる。
【００３６】
請求項４のバルコニー等の緑化構造は、請求項１〜３のいずれかにおいて、前記プタンタが載置された載置部を、前記床面の縁部側のうち、外側に位置する縁部側に配置したものであるから、床面の外側の縁部以外の床面を活動や休息の場所として広く利用することができる。
また、前記載置部に載置されたプランタの植物に、日光がよく当たるので、植物の育ちがよく、また、植物を日光の当たった明るい雰囲気で観賞することができる。
【００３７】
請求項５のバルコニー等の緑化構造は、請求項１〜４のいずれかにおいて、前記プランタが載置された載置部以外の床面上に床材を敷設したものであるから、該床面に施された防水処理層が床材によって覆われて保護されるので、該防水処理層の劣化を防止することができ、また、人の出入りや物の搬入、搬出等の際における防水処理層の損傷を防止することができる。
【００３８】
請求項６のバルコニー等の緑化構造は、請求項５において、前記床材を、複数の床材ユニットピースで構成したものであるから、前記プランタが載置された載置部以外の床面上に、複数の床材ユニットピースを敷き詰めることによって、床面の平面的な形状、大きさに対応した床材を容易に敷設することができる。
【図面の簡単な説明】
【図１】本発明のバルコニー等の緑化構造の一例を示すもので、該緑化構造の要部の断面図である。
【図２】同、緑化構造を示す平面図である。
【図３】同、緑化構造における載置部の他の配置例を示す平面図である。
【図４】同、緑化構造をバルコニーとともに示す断面図である。
【図５】同、仕切部ピースによって、仕切部を形成している状態を示す斜視図である。
【図６】同、仕切部ピースの一例を示す斜視図である。
【図７】同、仕切部ピースの他の例を示す平面図である。
【図８】同、屋内側から観たバルコニーの緑化構造を示す斜視図である。
【符号の説明】
１  バルコニーの床面
２  植物
３  プランタ
４  載置部
５  仕切部
６  防水シート
１０  床材
１０ａ  床材ユニットピース
１１ａ，１１ｂ，１１ｃ，１１ｄ，１１ｅ  仕切部ピース
【図１】
0003773599.tif 000002
【図２】
0003773599.tif 000003
【図３】
0003773599.tif 000004
【図４】
0003773599.tif 000005
【図５】
0003773599.tif 000006
【図６】
0003773599.tif 000007
【図７】
0003773599.tif 000008
【図８】
0003773599.tif 000009